(57)【要約】【課題】光ディスクの再生中であっても、再生データの出力を途切れさせずに視野サーボ係数を調整することができる光ディスク再生装置を提供する。【解決手段】視野サーボに使用される視野サーボ係数を調整してから光ピックアップ４による信号の読み取りを再開させてメモリ１３に再生データが記憶されるまでの間に、デコーダ１４によって復調される再生データが途切れない余裕量の再生データがメモリ１３に記憶された場合に、光ピックアップ４による信号の読み取りを中断させて視野サーボ係数の調整を実施する。【選択図】図１
2016058116.tif 000002
【特許請求の範囲】
【請求項１】
光ディスクに光ビームを照射し、反射光を受光して前記光ディスクに記録された信号を読み取る光ピックアップと、前記光ピックアップから照射された光ビームを前記光ディスクに形成されたウォブルトラックに追従させる視野サーボを実施するサーボ部とを備える光ディスク再生装置において、
２倍速以上で前記光ピックアップにより前記光ディスクから読み取られた信号から再生データを生成する信号処理部と、
前記信号処理部により生成された再生データを順次記憶するメモリと、
前記メモリに記憶された再生データを復調し、出力データとして等倍速で出力する復調部と、
視野サーボに使用される視野サーボ係数を調整してから前記光ピックアップによる信号の読み取りを再開させて前記メモリに再生データが記憶されるまでの間に、前記復調部によって復調される再生データが途切れない余裕量の再生データが前記メモリに記憶された場合に、前記光ピックアップによる信号の読み取りを中断させて視野サーボ係数の調整を実施する制御部とを備える光ディスク再生装置。
【請求項２】
前記サーボ部は、視野サーボ係数の初期値を使用して視野サーボを実施し、
前記制御部は、前記余裕量の再生データが前記メモリに記憶された場合に、前記光ピックアップによる信号の読み取りを中断させて視野サーボ係数の調整を実施することを特徴とする請求項１記載の光ディスク再生装置。
【請求項３】
装置内の温度を測定する温度測定部を備え、
前記制御部は、前記温度測定部により測定された温度の変化量が許容範囲を超え、かつ前記余裕量の再生データが前記メモリに記憶された場合に、前記光ピックアップによる信号の読み取りを中断させて視野サーボ係数の調整を実施することを特徴とする請求項１記載の光ディスク再生装置。
【発明の詳細な説明】
【技術分野】
【０００１】
この発明は、光ディスクに形成されたウォブルトラックに対して、光ピックアップから照射された光を追従させる視野サーボを行う光ディスク再生装置に関する。
【背景技術】
【０００２】
光ディスクには、予め定められた周波数で微小にウォブリング（蛇行）させたトラックが形成されているものがある。視野サーボとは、このウォブルトラックに対して光ピックアップから照射された光の視野を追従させるサーボ動作である。
【０００３】
従来の光ディスク再生装置では、視野サーボに用いる視野サーボ係数を調整する際に、まず、光ディスクを回転駆動させた状態で、光ピックアップから照射された光ビームを、ウォブルトラックにフォーカスをオンする。次に、光ピックアップからの光ビームをウォブルトラックに照射するときのトラッキングをオフにする。
そして、フォーカスオン、かつトラッキングオフとしてから、光ピックアップから照射された光ビームの視野を予め定められた範囲で振って、この範囲内で視野が振られているときのプッシュプル信号を視野の振り量に対応させて複数計測する。
この後、複数計測されたプッシュプル信号と視野の振り量とに基づいて視野サーボ係数を調整する（例えば、特許文献１参照）。
【先行技術文献】
【特許文献】
【０００４】
【特許文献１】特開２００５−２２８４３１号公報
【発明の概要】
【発明が解決しようとする課題】
【０００５】
フォーカスおよびトラッキングのいずれかをオフにすると、光ピックアップによる信号の読み取りができず、再生データの出力が途切れる。このため、従来では、光ディスクの再生が開始される前の再生起動で視野サーボ係数の調整を実施していた。
また、再生起動で視野サーボ係数を調整する場合において、視野サーボ係数を適切な値に調整するためには視野を振りながらプッシュプル信号を複数計測する必要があるので、再生起動時間が常に長時間化する。
さらに、光ディスクの再生中はトラッキングをオンしているので、再生中の温度変化で視野特性が変化しても視野サーボ係数を調整することができなかった。
【０００６】
この発明は、上述したような課題を解決するためになされ、光ディスクの再生中であっても、再生データの出力を途切れさせずに視野サーボ係数を調整することができる光ディスク再生装置を得ることを目的とする。
【課題を解決するための手段】
【０００７】
この発明に係る光ディスク再生装置は、光ディスクに光ビームを照射し、反射光を受光して光ディスクに記録された信号を読み取る光ピックアップと、光ピックアップから照射された光ビームを光ディスクに形成されたウォブルトラックに追従させる視野サーボを実施するサーボ部とを備える光ディスク再生装置において、２倍速以上で光ピックアップにより光ディスクから読み取られた信号から再生データを生成する信号処理部と、信号処理部により生成された再生データを順次記憶するメモリと、メモリに記憶された再生データを復調し、出力データとして等倍速で出力する復調部と、視野サーボに使用される視野サーボ係数を調整してから光ピックアップによる信号の読み取りを再開させてメモリに再生データが記憶されるまでの間に、復調部によって復調される再生データが途切れない余裕量の再生データがメモリに記憶された場合に、光ピックアップによる信号の読み取りを中断させて視野サーボ係数の調整を実施する制御部とを備える。
【発明の効果】
【０００８】
この発明によれば、光ディスクの再生中であっても、再生データの出力を途切れさせずに視野サーボ係数を調整することができるという効果がある。
【図面の簡単な説明】
【０００９】
【図１】この発明の実施の形態１に係る光ディスク再生装置の構成を示すブロック図である。
【図２】実施の形態１に係る光ディスク再生装置の動作を示すフローチャートである。
【図３】この発明の実施の形態２に係る光ディスク再生装置の構成を示すブロック図である。
【図４】実施の形態２に係る光ディスク再生装置の動作を示すフローチャートである。
【発明を実施するための形態】
【００１０】
実施の形態１．
図１は、この発明の実施の形態１に係る光ディスク再生装置の構成を示すブロック図である。図１において、光ディスク再生装置１は、例えば車両に搭載される光ディスク再生装置であり、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）またはＢＤ（Ｂｌｕ−ｒａｙ  Ｄｉｓｃ；登録商標）などといった光ディスクｄに記録された信号を再生する。また光ディスクｄには、螺旋状に形成されたトラックの中に、上述したウォブリングトラックが形成されている。視野サーボにおいて光ピックアップ４から照射された光ビームが、このウォブリングトラックに追従するように制御される。
【００１１】
スピンドルモータ２は、スピンドル駆動回路８からの駆動信号によって光ディスクｄを回転駆動する。また、光ピックアップ４は、対物レンズ３、トラッキングコイル４ａ、フォーカスコイル４ｂを備えて構成され、スピンドルモータ２によって回転駆動されている光ディスクｄに対物レンズ３を介して光ビームを照射する。
【００１２】
トラッキングコイル４ａは、２軸駆動回路５からの駆動信号によって光ピックアップ４上で対物レンズ３を光ディスクｄの半径方向に駆動する。
フォーカスコイル４ｂは、２軸駆動回路５からの駆動信号により光ピックアップ４上で対物レンズ３を光ディスクｄの接離方向に駆動する。
なお、２軸駆動回路５は、ＤＳＰ（デジタルシグナルプロセッサ）１１からの制御信号に従ってトラッキングコイル４ａおよびフォーカスコイル４ｂに駆動信号を出力する。
【００１３】
また、光ピックアップ４は駆動軸６ａに摺動可能に設けられており、駆動軸６ａには、スレッドモータ６が設けられている。
スレッドモータ６は、スレッド駆動回路７からの駆動信号によって光ピックアップ４を光ディスクｄの半径方向（図１中に矢印で示す）に駆動させる。
スレッド駆動回路７は、ＤＳＰ１１からの制御信号に従って、スレッドモータ６に駆動信号を出力する。
【００１４】
スピンドル駆動回路８は、ＤＳＰ１１からの制御信号に従って、スピンドルモータ２に駆動信号を出力する。なお、本発明では、スピンドル駆動回路８からの駆動信号により、スピンドルモータ２の回転設定が可能である。例えば等倍速（通常速度）から２倍速以上に光ディスクｄの回転速度を上げることができる。
【００１５】
ＲＦＩＣ９は、光ピックアップ４により読み取られた信号を処理してサーボ信号、ＲＦ信号およびウォブル信号などを抽出するＩＣ（集積回路）である。
例えば、光ピックアップ４によって読み取られた信号からプッシュプル信号ＴＥＩＮとウォブルプッシュプル信号ＷＰＰを生成する。
またＲＦＩＣ９は、プッシュプル信号ＴＥＩＮからウォブルプッシュプル信号ＷＰＰを減算して直流オフセット成分をキャンセルしたトラッキングエラー信号ＴＥを生成する。
ＲＦＩＣ９が生成したプッシュプル信号ＴＥＩＮ、ウォブルプッシュプル信号ＷＰＰ、およびトラッキングエラー信号ＴＥは、ＤＳＰ１１へ送られる。また、ＲＦ信号は、ＲＦ信号処理回路１０に送られる。
【００１６】
ＲＦ信号処理回路１０は、光ピックアップ４により読み取られた信号からＲＦＩＣ９によって抽出されたＲＦ信号から再生データを生成する信号処理部である。
再生データは、ＲＦ信号を信号処理して得られる予め定められた変調信号である。
例えば、ＥＦＭ変調信号などが挙げられる。
また、ＲＦ信号処理回路１０は、スピンドルモータ２によって２倍速以上で回転駆動されている光ディスクｄから光ピックアップ４によって読み取られた信号から再生データを生成する。これにより、メモリ１３には、２倍速以上で再生データが順次記憶される。
【００１７】
ＤＳＰ１１は、スピンドルモータ２および光ピックアップ４に対する各種サーボ制御を行うサーボ部である。すなわち、フォーカス、トラッキング、スレッド、スピンドルなどのサーボドライブ信号を生成してサーボ制御を行う。
例えば、ＲＦＩＣ９から入力されたトラッキングエラー信号ＴＥに応じてトラッキングドライブ信号を生成し、制御信号として２軸駆動回路５に出力する。
【００１８】
ＣＰＵ（中央処理装置）１２は、光ディスク再生装置１内の構成要素の動作を制御する制御部である。特に、本発明では、ＣＰＵ１２が視野サーボ係数の調整を実施する。
視野サーボ係数とは、視野サーボに使用されるサーボ係数であり、光ピックアップ４の視野を機械的な視野の中立位置に対して中心に持ってくるために用いられる。
例えば、ウォブルプッシュプル信号ＷＰＰに視野サーボ係数を乗算し、視野サーボエラー信号（レンズシフト信号）を生成する。この視野サーボエラー信号に基づいてスレッドモータ６を制御し、光ディスクｄの外周方向に光ピックアップ４を駆動させて、光ピックアップ４の視野を中立位置に対して中心に位置させる。
【００１９】
また、ＣＰＵ１２は、光ディスクｄの再生中に、視野サーボに使用される視野サーボ係数を調整してから光ピックアップ４による信号の読み取りを再開させてメモリ１３に再生データが記憶されるまでの間に、デコーダ１４によって復調される再生データが途切れない量の再生データがメモリ１３に記憶された場合に、光ピックアップ４による信号の読み取りを中断させて視野サーボ係数の調整を実施する。
視野サーボ係数の調整方法としては、例えば特許文献１に記載されるようにフォーカスオンかつトラッキングオフとしてから光ピックアップ４から照射された光ビームの視野を予め定められた範囲で振っているときのプッシュプル信号ＴＥＩＮを視野の振り量に対応させて複数計測する。この後、複数計測したプッシュプル信号ＴＥＩＮと視野の振り量とに基づいて視野サーボ係数を調整する。
【００２０】
メモリ１３は、ＲＦ信号処理回路１０によって生成された再生データを順次記憶する。
デコーダ１４は、メモリ１３に記憶された再生データを復調し出力データとして等倍速で出力する復調部である。
ＤＡＣ（デジタルアナログ変換部）１５は、デコーダ１４により復調された出力データをアナログ信号に変換する。
出力部１６は、ＤＡＣ１５によって変換されたアナログ信号の出力データを出力する。例えば、スピーカ、モニタなどが挙げられる。
【００２１】
次に動作について説明する。
図２は、実施の形態１に係る光ディスク再生装置の動作を示すフローチャートである。
まず、光ディスクｄを再生する前処理として再生起動を行う（ステップＳＴ１）。
再生起動では、例えば、フォーカスオン処理、第１のスピンドルオン処理、視野サーボ処理、トラッキングオン処理、第２のスピンドルオン処理、スレッドオン処理が、この順に実施される。
【００２２】
フォーカスオン処理では、対物レンズ３を介して光ディスクｄに照射された光ビームのフォーカスをオン（合焦）にする。
第１のスピンドルオン処理では、スピンドルモータ２を回転駆動させる。ここでは、予め設定された設定回転数ではなく、大まかに回転させる。
視野サーボ処理では、視野サーボ係数として予め定められた初期値を用いて視野サーボを実施する。なお、初期値とは製品出荷時に設定された視野サーボ係数であり、製造段階でセットごとに最適化調整された値である。このように初期値を用いて視野サーボを実施するので、再生起動中に視野サーボ係数は調整されず、この調整に応じて再生起動時間が長時間化することを防止できる。
トラッキングオン処理では、対物レンズ３を介して光ディスクｄに照射された光ビームのトラッキング（トラック追従）をオンにする。
第２のスピンドルオン処理では、設定回転数でスピンドルモータ２を回転駆動させる。
スレッドオン処理では、光ピックアップ４上の原点位置に対する対物レンズ３のシフト量が一定に保持されるようにスレッドモータ６を制御する。
【００２３】
再生起動が完了すると、光ディスクｄの再生を開始する（ステップＳＴ２）。
このとき、ＣＰＵ１２は、ＤＳＰ１１に指示して光ディスクｄを等倍速の整数倍（例えば、２倍速とする）で回転させ、再生データをメモリ１３に記憶させる。
すなわち、ＲＦ信号処理回路１０は、２倍速で回転している光ディスクｄから光ピックアップ４によって読み取られた信号から再生データを生成する。これにより、メモリ１３には２倍速で再生データが順次記憶される。
なお、メモリ１３に記憶された再生データは、デコーダ１４によって等倍速で読み出されて復調される。復調されたデータは、デコーダ１４から後段の構成へ順次出力されて、光ディスクｄに記録された信号が再生される。
【００２４】
光ディスクｄの再生中、ＣＰＵ１２は、メモリ１３に記憶されたデータ量を監視して、メモリ１３に一定量の再生データが貯まったか否かを確認している（ステップＳＴ３）。
なお、一定量とは、視野サーボに使用される視野サーボ係数を調整してから光ピックアップ４による信号の読み取りを再開させてメモリ１３に再生データが記憶されるまでの間に、デコーダ１４によって復調される再生データが途切れない余裕量である。この余裕量は、予め実験などにより求めておく。
【００２５】
メモリ１３に一定量（余裕量）の再生データが貯まっていない場合（ステップＳＴ３；ＮＯ）、ステップＳＴ２に戻る。
一方、メモリ１３に一定量（余裕量）の再生データが貯まった場合（ステップＳＴ３；ＹＥＳ）、ＣＰＵ１２は、ＤＳＰ１１に指示して光ピックアップ４による信号の読み取りを中断させて視野サーボ係数の調整を実施する（ステップＳＴ４）。
例えば、ＣＰＵ１２は、ＤＳＰ１１に指示して、光ピックアップ４のフォーカスをオンにし、トラッキングをオフにしてから、２軸駆動回路５を制御して、光ピックアップ４の視野を予め定められた範囲で振る。このときのプッシュプル信号ＴＥＩＮを視野振り量に対応させて複数計測する。そして、視野振り量に対応させて複数計測されたプッシュプル信号ＴＥＩＮと視野振り量とに基づいて視野サーボ係数を調整する。
視野サーボ係数の調整が完了すると、ＣＰＵ１２は、ＲＦＩＣ９からＤＳＰ１１に供給されるウォブルプッシュプル信号ＷＰＰに視野サーボ係数を乗算して、視野サーボエラー信号（レンズシフト信号）を生成する。この後、ＣＰＵ１２は、ＤＳＰ１１に指示して、視野サーボエラー信号に基づいてスレッドモータ６を制御し、光ディスクｄの外周方向に光ピックアップ４を駆動させて、光ピックアップ４の視野を中立位置に対して中心に位置させる。
【００２６】
ＣＰＵ１２が視野サーボ係数の調整およびその設定を行っている間、デコーダ１４は、メモリ１３に記憶されている再生データを等倍速で読み出して復調する。復調されたデータは、上述のようにデコーダ１４から後段の構成へ順次出力されて、光ディスクｄに記録された信号が再生される。すなわち、メモリ１３に記憶された再生データは途切れない。
【００２７】
視野サーボ係数の調整およびその設定が完了すると、ＣＰＵ１２は、ＤＳＰ１１に指示して光ピックアップ４による信号の読み出しを再開する。これにより、メモリ１３に再生データが順次記憶されて光ディスクｄの再生が継続される（ステップＳＴ５）。
このようにすることで、現在の光ピックアップ４の視野特性に合った最適な視野サーボ係数に調整されるので、光ディスクｄの再生におけるエラーレートが向上し、製造段階で設定された初期値のセット間のばらつきによる影響を低減することができる。
なお、ＣＰＵ１２が、例えば、光ピックアップ４による信号の読み取りを中断する直前のアドレスを記憶しておき、信号の読み取りを再開するにあたり、ＤＳＰ１１に指示して中断直後のアドレスの信号から読み出すようにする。これにより、データ内容の連続性を維持しつつ、信号の読み取りを再開することができる。
【００２８】
実施の形態１では、光ディスクｄの再生において、光ディスクｄからの信号の読み取りを２倍速以上とする場合を示したが、これに限定されるものではない。
例えば、メモリ１３に一定量の再生データが貯まるまでは２倍速以上とし、視野サーボ係数の調整が完了して再生を再開する場合は、等倍速で信号の読み取りを行うようにしてもよい。このようにすることで、再生動作に要する電力消費を抑えることができる。
【００２９】
以上のように、この実施の形態１によれば、光ディスク再生装置１は、ＲＦ信号処理回路１０、ＣＰＵ１２、メモリ１３およびデコーダ１４を備えて構成される。ＲＦ信号処理回路１０は、２倍速以上で光ピックアップ４により光ディスクｄから読み出された信号から再生データを生成する。メモリ１３は、ＲＦ信号処理回路１０によって生成された再生データを順次記憶する。デコーダ１４は、メモリ１３に記憶された再生データを復調し、出力データとして等倍速で出力する。そして、ＣＰＵ１２は、視野サーボに使用される視野サーボ係数を調整してから光ピックアップ４による信号の読み取りを再開させてメモリ１３に再生データが記憶されるまでの間に、デコーダ１４によって復調される再生データが途切れない余裕量の再生データがメモリ１３に記憶された場合に、光ピックアップ４による信号の読み取りを中断させて視野サーボ係数の調整を実施する。
このように構成することにより、光ディスクｄの再生中であっても、再生データの出力を途切れさせずに視野サーボ係数を調整することができる。これにより、再生起動で視野サーボ係数の調整を行う必要がなく、再生起動時間が長時間化することを防止できる。
【００３０】
また、この実施の形態１によれば、ＤＳＰ１１が、視野サーボ係数の初期値を使用して視野サーボを実施し、ＣＰＵ１２は、余裕量の再生データがメモリ１３に記憶された場合に、光ピックアップ４による信号の読み取りを中断させて視野サーボ係数の調整を実施する。このように構成することで、光ピックアップ４の現在の視野特性に合った最適な視野サーボ係数に調整されるので、光ディスクｄの再生におけるエラーレートが向上し、製造段階で設定された初期値のセット間のばらつきによる影響を低減することができる。
【００３１】
実施の形態２．
図３は、この発明の実施の形態２に係る光ディスク再生装置の構成を示すブロック図である。図３において、光ディスク再生装置１Ａは、実施の形態１と同様に、例えば車両に搭載される光ディスク再生装置であり、ＣＤ、ＤＶＤ、ＢＤなどといった光ディスクｄに記録された信号を再生する。また光ディスク再生装置１Ａは、温度センサ１７を備える。
温度センサ１７は、光ディスク再生装置１Ａ内の温度を測定する温度測定部である。
ＣＰＵ１２Ａは、温度センサ１７により測定された温度の変化量が許容範囲を超えかつ余裕量の再生データがメモリ１３に記憶された場合に視野サーボ係数の調整を実施する。
なお、図１と同一の構成要素には同一の符号を付して説明を省略する。
【００３２】
次に動作について説明する。
図４は、実施の形態２に係る光ディスク再生装置の動作を示すフローチャートである。
まず、光ディスクｄの再生を行う（ステップＳＴ１ａ）。
このとき、ＣＰＵ１２Ａは、ＤＳＰ１１に指示して、光ディスクｄを等倍速の整数倍（例えば、２倍速とする）で回転させ、再生データをメモリ１３に記憶させる。
ＲＦ信号処理回路１０は、２倍速で回転している光ディスクｄから光ピックアップ４によって読み取られた信号から再生データを生成する。これにより、メモリ１３には２倍速で再生データが順次記憶される。
なお、メモリ１３に記憶された再生データは、デコーダ１４によって等倍速で読み出されて復調される。復調されたデータは、デコーダ１４から後段の構成へ順次出力されて、光ディスクｄに記録された信号が再生される。
【００３３】
光ディスクｄの再生が開始されると、温度センサ１７は、光ディスク再生装置１Ａ内の温度の計測を開始する（ステップＳＴ２ａ）。温度センサ１７により計測された温度情報は、ＣＰＵ１２Ａに順次送られる。
次に、ＣＰＵ１２Ａは、温度センサ１７から入力した温度情報を順次蓄積することで、光ディスク再生装置１Ａ内の温度が許容範囲を超えて変化したかどうかを確認する（ステップＳＴ３ａ）。なお、許容範囲は、光ピックアップ４を構成する光学部品に歪みが生じず、光ピックアップ４の視野特性が変化しない温度範囲である。例えば、予め実験で求めておけばよい。
【００３４】
光ディスク再生装置１Ａ内の温度が許容範囲内であれば（ステップＳＴ３ａ；ＮＯ）、ステップＳＴ１ａの処理に戻る。
一方、光ディスク再生装置１Ａ内の温度が許容範囲を超えて変化している場合（ステップＳＴ３ａ；ＹＥＳ）、ＣＰＵ１２Ａは、メモリ１３に記憶されたデータ量を監視して、メモリ１３に一定量の再生データが貯まったか否かを確認する（ステップＳＴ４ａ）。
なお、一定量とは、実施の形態１と同様に、視野サーボに使用される視野サーボ係数の調整を開始して光ディスクｄの再生が再開されるまでの間にデコーダ１４によって復調される再生データが途切れない余裕量である。
【００３５】
光ディスク再生装置１Ａ内の温度が許容範囲を超えて変化しているが、メモリ１３には一定量（余裕量）の再生データが貯まっていなければ（ステップＳＴ４ａ；ＮＯ）、ステップＳＴ１ａの処理に戻る。
また、光ディスク再生装置１Ａ内の温度が許容範囲を超えて変化し、かつメモリ１３に一定量（余裕量）の再生データが貯まっている場合（ステップＳＴ３；ＹＥＳ）、ＣＰＵ１２Ａは、ＤＳＰ１１に指示して光ピックアップ４による信号の読み取りを中断させて、視野サーボ係数の調整を実施する（ステップＳＴ５ａ）。
【００３６】
ＣＰＵ１２Ａが視野サーボ係数の調整およびその設定を行っている間に、デコーダ１４は、メモリ１３に記憶されている再生データを等倍速で読み出して復調する。復調されたデータは、上述のようにデコーダ１４から後段の構成へ順次出力されて、光ディスクｄに記録された信号が再生される。すなわち、メモリ１３に記憶された再生データは途切れない。
【００３７】
この後、視野サーボ係数の調整およびその設定が完了すると、ＣＰＵ１２Ａは、ＤＳＰ１１に指示して光ディスクｄに記録された信号の読み出しを再開する。
これにより、メモリ１３に再生データが順次記憶されて光ディスクｄの再生が継続される（ステップＳＴ６ａ）。
なお、ＣＰＵ１２Ａが、例えば、光ピックアップ４による信号の読み取りを中断する直前のアドレスを記憶しておき、信号の読み取りを再開するにあたり、ＤＳＰ１１に指示して中断直後のアドレスの信号から読み出すようにする。これにより、データ内容の連続性を維持しつつ、信号の読み取りを再開することができる。
【００３８】
以上のように、この実施の形態２によれば、光ディスク再生装置１Ａ内の温度を測定する温度センサ１７を備えており、ＣＰＵ１２Ａが、温度センサ１７により測定された温度の変化量が許容範囲を超え、かつ余裕量の再生データがメモリ１３に記憶された場合に、光ピックアップ４による信号の読み取りを中断させて視野サーボ係数の調整を実施する。このように構成することにより、光ディスクｄの再生中の温度変化で光ピックアップ４の視野特性が変化しても、現在の視野特性に合った最適な視野サーボ係数に調整することができる。
【００３９】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４０】
１，１Ａ  光ディスク再生装置、２  スピンドルモータ、３  対物レンズ、４  光ピックアップ、４ａ  トラッキングコイル、４ｂ  フォーカスコイル、５  ２軸駆動回路、６  スレッドモータ、６ａ  駆動軸、７  スレッド駆動回路、８  スピンドル駆動回路、９  ＲＦＩＣ、１０  ＲＦ信号処理回路、１１  ＤＳＰ、１２，１２Ａ  ＣＰＵ、１３  メモリ、１４  デコーダ、１５  ＤＡＣ、１６  出力部、１７  温度センサ。
【図１】
2016058116.tif 000003
【図２】
2016058116.tif 000004
【図３】
2016058116.tif 000005
【図４】
2016058116.tif 000006